(57)【要約】【課題】  水が確保しにくい場所であっても室内の加湿を行うことができ、さらには加湿から機器等を保護することが可能な加湿装置を提供することを目的とする。【解決手段】  雨水Ｗを溜める屋内貯水槽２０と、屋内貯水槽２０に貯留された雨水Ｗを室内４に自然蒸発させる加湿手段３１と、を備えた加湿装置１０。屋内貯水槽２０を用いて雨水Ｗが溜められるので、水の供給が困難な山上や山間部でも水の確保が可能となる。屋内貯水槽２０の雨水Ｗは加湿手段３１によって自然蒸発するので、室内４に蒸発する水にはカルシウム等の金属成分は含まれず、加湿による機器類５の誤動作を防止することができる。【選択図】  図１
2008107012.tif 000002
【特許請求の範囲】
【請求項１】
雨水を溜める貯水槽と、該貯水槽に貯留された雨水を室内に自然蒸発させる加湿手段と、を備えたことを特徴とする加湿装置。
【請求項２】
前記貯水槽には底部に滞留する雨水を排出させるドレンが設けられていることを特徴とする請求項１に記載の加湿装置。
【請求項３】
前記加湿手段は、前記貯水槽内の雨水を吸水する吸水部材を有し、該吸水部材の一部は前記室内に対して露出されていることを特徴とする請求項１または２に記載の加湿装置。
【請求項４】
前記加湿手段は、前記室内に露出された吸水部材に向けて空気を吹付けるファンを有していることを特徴とする請求項３に記載の加湿装置。
【請求項５】
前記加湿手段は、前記吸水部材の回転によって該吸水部材の前記貯水槽の雨水に浸漬された部位が逐次前記室内に露出するように構成されていることを特徴とする請求項３または４に記載の加湿装置。
【請求項６】
前記貯水槽は、屋根からの雨水を溜める屋外貯水槽と連通されていることを特徴とする請求項１から５のいずれか１項に記載の加湿装置。
【請求項７】
前記貯水槽の上流側には、降り始めの雨水の前記貯水槽への流入を防止する流路切替手段が設けられていることを特徴とする請求項１から６のいずれか１項に記載の加湿装置。
【発明の詳細な説明】
【技術分野】
【０００１】
この発明は、室内を加湿するのに用いられる加湿装置に関し、特に雨水を利用した通信機械室等の加湿装置に関する。
【背景技術】
【０００２】
通信機械室、通信局舎、通信中継所および精密電子機器室等（以下、通信機械室等と言う）は、防塵および機器冷却のため常時空調機で冷房されている。また、通信機械室等は、冷房の除湿効果による過度の乾燥によって生じる静電気等で機器が誤動作するのを防止するため、加湿器によって加湿しているのが一般的である。室内を加湿する装置の一例としては、下記の特許文献１、２が知られている。これらの装置では、超音波振動子による振動を利用して水を霧化し、室内を加湿することが行われる。
【特許文献１】特開平２００２−４８３６４号公報
【特許文献２】特開平２００６−１２５６４８号公報
【発明の開示】
【発明が解決しようとする課題】
【０００３】
しかし、超音波を利用した加湿装置においては、水の供給が確保されることが前提であり、水の供給が困難な山上または山間地等では、通信機械室等の加湿ができないという問題があった。また、超音波を利用する加湿装置の場合は、水道水に含まれるカルシウム等の金属成分が水と共に蒸発するので、室内に設置された通信機器等に金属成分が付着し、機器が誤動作を起こすという問題がある。
【０００４】
そこでこの発明は、水が確保しにくい場所であっても室内の加湿を行うことができ、さらには加湿から機器等を保護することが可能な加湿装置を提供することを目的とする。
【課題を解決するための手段】
【０００５】
上記目的を達成するために請求項１に記載の発明は、雨水を溜める貯水槽と、該貯水槽に貯留された雨水を室内に自然蒸発させる加湿手段と、を備えたことを特徴とする加湿装置である。
【０００６】
請求項２に記載の発明は、請求項１に記載の加湿装置において、前記貯水槽には底部に滞留する雨水を排出させるドレンが設けられていることを特徴としている。
【０００７】
請求項３に記載の発明は、請求項１または２に記載の加湿装置において、前記加湿手段は、前記貯水槽内の雨水を吸水する吸水部材を有し、該吸水部材の一部は前記室内に対して露出されていることを特徴としている。
【０００８】
請求項４に記載の発明は、請求項３に記載の加湿装置において、前記加湿手段は、前記室内に露出された吸水部材に向けて空気を吹付けるファンを有していることを特徴としている。
【０００９】
請求項５に記載の発明は、請求項３または４に記載の加湿装置において、前記加湿手段は、前記吸水部材の回転によって該吸水部材の前記貯水槽の雨水に浸漬された部位が逐次前記室内に露出するように構成されていることを特徴としている。
【００１０】
請求項６に記載の発明は、請求項１から５のいずれかに記載の加湿装置において、前記貯水槽は、屋根からの雨水を溜める屋外貯水槽と連通されていることを特徴としている。
【００１１】
請求項７に記載の発明は、請求項１から６のいずれかに記載の加湿装置において、前記貯水槽の上流側には、降り始めの雨水の前記貯水槽への流入を防止する流路切替手段が設けられていることを特徴としている。
【発明の効果】
【００１２】
請求項１に記載の発明によれば、貯水槽を用いて雨水が溜められるので、水の供給が困難な山上や山間部でも水の確保が可能となる。貯水槽の雨水は加湿手段によって自然蒸発するので、室内に蒸発する水にはカルシウム等の金属成分は含まれず、加湿による機器等の誤動作を防止することができる。
【００１３】
請求項２に記載の発明によれば、貯水槽の底部にドレンが設けられるので、底部に溜まる汚れた雨水を排出させることができ、汚れのない雨水を室内の加湿に用いることができる。
【００１４】
請求項３に記載の発明によれば、加湿装置は雨水を吸水する吸水部材を有しており、給水部材の一部は室内に露出されているので、吸水部材からの室内への雨水の自然蒸発を促進させることができ、室内の加湿を十分に行うことができる。
【００１５】
請求項４に記載の発明によれば、加湿手段は吸水部材に向けて空気を吹付けるファンを有しているので、雨水の室内への自然蒸発を更に促進することができる。
【００１６】
請求項５に記載の発明によれば、吸水部材の回転によって貯水槽の雨水に浸漬された吸水部材の部位が逐次室内に露出するように構成されているので、吸水部材の雨水を多く含んだ部分が常時室内に位置することになり、吸水部材からの雨水の自然蒸発が促進される。
【００１７】
請求項６に記載の発明によれば、室内の貯水槽は、屋根からの雨水を溜める屋外貯水槽と連通しているので、室内の貯水槽の容積が小さい場合であっても、屋外貯水槽から室内の貯水槽に十分な雨水を供給することができ、室内の貯水槽の雨水は長期にわたり確保される。
【００１８】
請求項７に記載の発明によれば、貯水槽の上流側に、降り始めの雨水の貯水槽への流入を防止する流路切替手段が設けられているので、屋根等に堆積した土や木の葉等の異物が雨水とともに貯水槽に流入するのを防止することができる。
【発明を実施するための最良の形態】
【００１９】
つぎに、この発明の実施の形態について、図面を用いて詳しく説明する。
【００２０】
（実施の形態１）
図１および図２は、本発明の実施の形態１を示している。図１において、符号１は山間部に位置する通信局舎等の建屋を示している。建屋１の屋根２は、頂部を境に左右に傾斜しており、降った雨Ｗは屋根２の傾斜面を流下し、雨樋６に導かれるようになっている。建屋１の室内４の上部には、空調機３が配置されている。室内４には、通信機等の機器類５が設置されている。室内４の温度は、熱を発する機器類５を空調機３からの冷気によって冷却することにより適温に保たれている。室内４の湿度は、後述する加湿装置１０の加湿手段３１により適正に保たれている。
【００２１】
加湿装置１０は、屋外に配置される屋外貯水槽１１と室内４に配置される屋内貯水槽２０の２つの貯水槽を有している。屋外貯水槽１１は、建屋１に隣接して配置されている。雨樋６には、屋外貯水槽１１に向かって垂直に延びる導水管１２が接続されている。導水管１２の下流端は、屋外貯水槽１１の底部まで延びている。屋外貯水槽１１は上部が開口しており、この開口部に異物の進入を阻止する蓋１４が取付けられている。屋外貯水槽１１の最下部には排出口１５が形成されており、排出口１５には底部に溜まった汚水を排出させるドレン１６が設けられている。屋外貯水槽１１の側部には、余剰の雨水Ｗを排出させるオーバーフロー排水管１７が取付けられている。屋外貯水槽１１内には、屋外貯水槽１１に流入した余剰の雨水Ｗを排出させる第一の排水管１８が設けられている。第一の排水管１８は、上流端が屋外貯水槽１１の底部に位置しており、下流端はオーバーフロー排水管１７内に位置している。第一の排水管１８は、屋外貯水槽１１内の雨水Ｗの水面が高さＨ１になった時に、底部に滞留している汚れた雨水Ｗをオーバーフロー排水管１７内に排出する機能を有している。
【００２２】
室内４には、屋内貯水槽２０が配置されている。屋外貯水槽１１と屋内貯水槽２０は、連通管２３を介して連通しており、屋外貯水槽１１内の雨水Ｗは連通管２３によって屋内貯水槽２０に導かれるようになっている。屋内貯水槽２０の最下部には、排出口２１が形成されており、排出口２１には底部に溜まった汚れた雨水Ｗを排出させるドレン２２が設けられている。屋内貯水槽２０内には、屋内貯水槽２０に流入した余剰の雨水Ｗを排出させる第二の排水管２４が設けられている。第二の排水管２４は、上流端が屋内貯水槽２０の底部に位置しており、下流端はオーバーフロー排水管１７内に位置している。第二の排水管２４は、屋内貯水槽２０内の雨水Ｗの水面が高さＨ２になった時に、底部に滞留している汚れた雨水Ｗをオーバーフロー排水管１７内に排出する機能を有している。屋内貯水槽２０の側部には、第三の排水管２５が取付けられている。第三の排水管２５は、上流端が高さＨ２よりも少し高い所に位置しており、下流端はオーバーフロー排水管１７内に位置している。第三の排水管２５は、屋内貯水槽２０内の雨水Ｗが貯水槽２０から溢れるのを防止する機能を有している。屋内貯水槽２０の上端２６は、屋外貯水槽１１の上端よりも高さＨだけ高くなっている。連通管２３の上流端は、屋外貯水槽１１の底部からの高さがＨ３となっている。連通管２３の上流端の位置をこのように設定することにより、屋外貯水槽１１の底部に滞留している汚れた雨水Ｗが屋内貯水槽２０に流入するのが防止されている。このように、屋外貯水槽１１の底部には、降り始めの雨水Ｗに混在している土や木の葉等の異物が滞留しているが、連通管２３はこのような異物を屋内貯水槽２０に流入するのを防止するので、流路切替手段として機能する。
【００２３】
屋内貯水槽２０の上部は、室内４に向かって開口されており、空調機３からの除湿水は配管３０を介して屋内貯水槽２０に流入するようになっている。屋内貯水槽２０の開口部には、加湿手段３１が設けられている。加湿手段３１は、吸水部材としての布ベルト３２と、ローラ３３と、ファン３４とを有している。ローラ３３は、屋内貯水槽２０内と室内４にそれぞれ配置されている。室内４に配置されたローラ３３は、モーター（図示略）によって回転駆動される。布ベルト３２は、例えば吸水性の良好な綿織物等の材料から構成されている。環状に形成された布ベルト３２は、各ローラ３３に接触するように掛けられており、ベルトコンベアーと同様に、駆動するローラ３３によって上下方向に移動（回動）するようになっている。布ベルト３２の移動速度は、モーターを制御するコントローラ（図示略）により制御可能となっている。布ベルト３２は、上下方向の下半分が屋内貯水槽２０内の雨水Ｗに浸漬されており、上半分は室内４に露出されている。布ベルト３２の室内４に露出されている部位には、布ベルト３２に吸水された雨水Ｗの自然蒸発を促進させるため、ファン３４によって空気が吹付けられている。
【００２４】
つぎに、実施の形態１における作用について説明する。建屋１の屋根２に雨が降ると、雨水Ｗは屋根２を流下し雨樋６に導かれる。雨樋６には、導水管１２が接続されているので、雨樋６からの雨水Ｗは導水管１２を通って屋外貯水槽１１に貯留される。これにより、水道が整備されていない山間部にある通信局舎等の建屋１であっても、水の確保が可能となる。屋外貯水槽１１と屋内貯水槽２０は、連通管２３を介して連通しているので、屋外貯水槽１１に貯留された雨水Ｗは、連通管２３を介して屋内貯水槽２０に流入し貯留される。屋内貯水槽２０は、室内４の設置スペースの関係から容積を著しく大とすることは困難であるが、通常、屋外の設置スペースには余裕があるので、屋外貯水槽１１の容積を屋内貯水槽２０に比べて著しく大とすることができる。これにより、屋外貯水槽１１には大量の雨水Ｗを貯留することができ、屋外貯水槽１１から雨水Ｗを長期にわたり屋内貯水槽２０に供給することができる。
【００２５】
大雨等により屋外貯水槽１１の雨水Ｗの水位がＨ１を超えた場合は、余剰の雨水Ｗは第一の排水管１８からオーバーフロー排水管１７内へ排出される。ここで、第一の排水管１８の上流端は、屋外貯水槽１１の底部に位置しているので、底部の汚れた雨水Ｗが優先して排出される。また、底部に位置する排出口１５には、ドレン１６が設けられているので、作業者による定期点検時等には、底部の泥等を含む汚れた雨水Ｗをドレン１６から排出させることができる。
【００２６】
屋内貯水槽２０に貯留された雨水Ｗの水位は、連通管２３の機能により屋外貯水槽１１の水位と同一となっており、大雨等により屋外貯水槽１１の雨水Ｗの水位が高くなると、屋内貯水槽２０の水位も上昇する。屋内貯水槽２０の液面が高さＨ２を超えた場合は、余剰の雨水Ｗは第二の排水管２４からオーバーフロー排水管１７内へ排出される。ここで、第二の排水管２４の上流端は、屋内貯水槽２０の底部に位置しているので、底部の汚れた雨水Ｗが優先して排出される。また、底部に位置する排出口２１には、ドレン２２が設けられているので、作業者による定期点検時等には、底部の泥等を含む汚れた雨水Ｗをドレン２２から排出させることができる。屋内貯水槽２０の上端２６は、屋外貯水槽１１の上端部よりも高さＨだけ高くなっているので、屋内貯水槽２０内の雨水Ｗは必ず第三の排水管２５を介してオーバーフロー排水管１７内へ排出され、室内４に流出することはない。
【００２７】
屋内貯水槽２０に貯留された雨水Ｗは、加湿手段３１の布ベルト３２に吸水され、布ベルト３２の移動により室内４の空気に触れることになる。これにより、布ベルト３２に吸水されていた雨水Ｗが空気中に自然蒸発し、室内４が加湿される。室内４に露出された布ベルト３２には、ファン３４によって空気が吹付けられるので、布ベルト３２からの自然蒸発が促進され、室内４は十分に加湿される。室内４には、空調機３が設けられており、除湿効果により室内４は乾燥することになるが、布ベルト３２からの雨水Ｗの自然蒸発により室内４の湿度は最適に保たれる。したがって、空調機３による室内４の過度の乾燥が抑制され、静電気の発生が生じにくくなり、機器類５の静電気による誤動作も防止される。また、室内４の加湿は、雨水Ｗの自然蒸発を利用しているので、雨水Ｗにカルシウム等の金属成分が含まれていても、超音波を利用した加湿のように金属成分が室内４に蒸発することはなく、金属成分の付着による機器類５の誤動作も防止される。
【００２８】
（実施の形態２）
図３は、本発明の実施の形態２を示しており、加湿手段の変形例である。本実施の形態２が実施の形態１と異なるところは、加湿手段の構造であり、その他の部分の構成は実施の形態１に準じるので、準じる部分に同一の符号を付すことにより準じる部分の説明を省略する。後述する他の実施の形態も同様とする。
【００２９】
図３において、符号３５は吸水部材としての吸水ローラを示している。吸水ローラ３５は、円筒形をしており、図示されないモーターにより軸心を中心として一方向に回転するようになっている。給水ローラ３５の回転速度は、モーターを制御するコントローラ（図示略）により制御可能となっている。吸水ローラ３５の表面は、雨水Ｗを吸収しやすい材料から構成されている。吸水ローラ３５は、下半分が屋内貯水槽２０内の雨水Ｗに浸漬されており、上半分が室内４に露出されている。吸水ローラ３５の室内４に露出する部位には、ファン３４によって空気が吹付けられるようになっている。
【００３０】
このように構成された実施の形態２においては、吸水ローラ３５の表面に吸収された雨水Ｗは、ファン３４による空気により室内４に自然蒸発され、室内４の加湿が行われる。吸水ローラ３５を用いた場合は、布ベルトのように上下方向の設置スペースが少なくて済むので、加湿手段をコンパクト化することができる。
【００３１】
（実施の形態３）
図４および図５は、本発明の実施の形態３を示している。図４において、雨樋６からの雨水Ｗを屋外貯水槽１１に導く導水管１２の途中には、雨水Ｗの流れ方向を切り替える流路切替手段４０が設けられている。流路切替手段４０は、降雨センサ４１、タイマ４２、制御器４３、切替弁（電磁切替弁）４４、雨水排出管４５を有している。降雨センサ４１は、屋根２に取付けられており、雨を検出する機能を有している。タイマ４２は、降雨センサ４１からの信号に基づき、雨が降りだしてからの時間を計測する機能を有する。制御器４３は、タイマ４２からの計測時間が予め設定された時間と同じになった際に、電磁切替弁４４を動作させ、雨水Ｗの流路を雨水排出管４５側から導水管１２側に切り替えるようになっている。つまり、流路切替手段４０は、降り始めの雨水Ｗを雨水排出管４５を介して屋外に捨て、降り始めから一定時間経過後の雨水Ｗのみを屋外貯水槽１１に導くようになっている。
【００３２】
このように構成された実施の形態３においては、屋根２には土や木の葉等の異物が堆積しているので、降り始めの雨水Ｗにはこれらが混在することになる。導水管１２の途中には、流路切替手段４０が設けられているので、降り始めの雨水Ｗは、予め設定された一定時間については電磁切替弁４４のオン動作により雨水排出管４５を介して屋外に捨てられる。その後、制御器４３によって電磁切替弁４４はオフとされ、雨樋６からの雨水Ｗは屋外貯水槽１１に流入することになる。したがって、屋外貯水槽１１には比較的きれいな雨水Ｗのみが流入することになり、ドレン１６による汚れた雨水Ｗの排水頻度を軽減することができる。
【００３３】
以上、この発明の実施の形態１ないし３を詳述してきたが、具体的な構成はこれらの実施の形態に限られるものではなく、この発明の要旨を逸脱しない範囲の設計の変更等があっても、この発明に含まれる。例えば、実施の態様１ないし３では、屋外貯水槽１１からの雨水Ｗを屋内貯水槽２０に供給するようにしているが、雨水Ｗを溜める機能を有するのであれば、一つの貯水槽でも室内４の加湿は可能である。また、屋内貯水槽２０の雨水Ｗの温度をあげれば、雨水Ｗの室内４への自然蒸発は促進されるので、屋内貯水槽２０を断熱構造としヒータ等により雨水Ｗの温度を上昇させて室内４の加湿を促進させる構成としてもよい。
【図面の簡単な説明】
【００３４】
【図１】本発明の実施の形態１に係わる加湿装置が配置された建屋の概要図である。
【図２】図１の加湿装置の断面図である。
【図３】本発明の実施の形態２に係わる加湿装置の要部断面図である。
【図４】本発明の実施の形態３に係わる加湿装置が配置された建屋の概要図である。
【図５】図４の加湿装置における流路切替手段のブロック図である。
【符号の説明】
【００３５】
１          建屋
２          屋根
３          空調機
４          室内
５          機器類
６          雨樋
１０        加湿装置
１１        屋外貯水槽
１２        導水管
１５        排出口
１６        ドレン
１７        オーバーフロー排水管
１８        第一の排水管
２０        屋内貯水槽（貯水槽）
２３        連通管（流路切替手段）
２４        第二の排水管
２５        第三の排水管
３１        加湿手段
３２        布ベルト（吸水部材）
３３        ローラ
３４        ファン
３５        吸水ローラ（吸水部材）
４０        流路切替手段
４１        降雨センサ
４２        タイマ
４３        制御器
４４        切替弁（電磁切替弁）
【図１】
2008107012.tif 000003
【図２】
2008107012.tif 000004
【図３】
2008107012.tif 000005
【図４】
2008107012.tif 000006
【図５】
2008107012.tif 000007